(57)【特許請求の範囲】
【請求項１】
免震構造物の周囲に設けられた溝を覆うための免震構造物用可動床であって、
前記溝を覆うための天板と、前記免震構造物と対面する溝壁面に固定され、該天板を支持するとともに前記溝の幅方向にスライド可能とする弾性部材とを備え、
該弾性部材は該溝の幅方向に弾性変形可能な筒部と、該筒部の側面から該免震構造物に近づく方向にハの字状に広がるように延在し該天板を支持する弾性片とからなり、該弾性部材の下は支えのない単なる空間とされていることを特徴とする免震構造物用可動床。
【請求項２】
筒部は断面が多角形の筒形状をなすことを特徴とする請求項１記載の免震構造物用可動床。
【請求項３】
天板の幅方向の一端は下方に折れ曲がり、断面Ｌ字状とされていることを特徴とする請求項１又は２記載の免震構造物用可動床。
【請求項４】
弾性部材は複数個が集まって複数の列をなすことを特徴とする請求項１乃至３のいずれか１項記載の免震構造物用可動床。
【発明の詳細な説明】
【技術分野】
【０００１】
本発明は、免震構造物用可動床に関する。
【背景技術】
【０００２】
免震建物等の免震構造物を設置する場合、免震構造物と非免震構造物とが地震時において互いに干渉することを避けるため、免震構造物と非免震構造物との間に一定の間隔の溝が設けられる。この溝は、建物の周囲に設けられた犬走りスラブやエキスパンションジョイントによって遮蔽される。この犬走りスラブやエキスパンションジョイントは、地震時において免震機能の作動により免震構造物とともに移動する。このため、免震構造物の周囲に設けた溝を地震時においても遮蔽状態にしておくためには、溝の幅の２倍程度の長さだけ、犬走りスラブやエキスパンションジョイントを外壁から突出させる必要がある。また、犬走りスラブやエキスパンションジョイントの先端は、地震時の移動を見越して、他の構造物または敷地境界線との間に溝の幅以上の空きを必要とする。このため、免震構造物の周辺に幅広い空き地を要することとなり、このような空き地を確保できない場合には、免震構造物の設置が困難となる。
【０００３】
このような問題を解決するため、免震構造物用可動床が提案されている（特許文献１、２参照）
【特許文献１】特開２０００−１２０１８７号公報
【特許文献２】特開２００２−８１１４２号公報
【０００４】
これらの免震構造物用可動床では、地震時において免震構造物が地盤と相対運動をすることによって溝の幅が狭くなった場合、免震構造物用可動床が下方に折れ曲がって免震構造物との干渉を防ぐようにされている。また、これとは逆に、溝の幅が広がる方向に免震構造物が地盤と相対運動をする場合には、免震構造物用可動床が溝を覆う位置に復帰することにより、溝の上に覆いが存在しない状態を防ぐことができる。このため、免震構造物の周囲の犬走りスラブやエキスパンションジョイントをそれほど長くしなくても、地震時において、免震構造物の周囲の溝を覆った状態が保たれる。このため、免震構造物の周辺に幅広い空き地がない場合でも、設置が可能となるという利点を有する。
【０００５】
一方、伸縮可能なバネ部材を備えた免震構造物用可動床も提案されている（特許文献３）。
【特許文献３】特開２０００−２９７４８１号公報
【０００６】
この免震構造物用可動床は、図８及び図９に示すように、断面が略Ｈ形状の筒状に成形された弾性部材９４が所定のピッチ間隔でコンクリート基礎９５の段落ち面ａ（図９参照）上に配列されており、バネ部材９４の上面は天板９６ａ、９６ｂで覆われている。天板９６ａの一端は犬走り９７の先端に固定されている。
【０００７】
この免震構造物用可動床では、地震動によって免震建物に結合された犬走り９７が移動しても、弾性部材９４が伸縮してその動きを吸収することができる。このため、犬走り９７とその周囲との間で段差が生じないようにすることができる。
【発明の開示】
【発明が解決しようとする課題】
【０００８】
しかし、上記特許文献１及び２に記載の免震構造物用可動床は、リンク機構をスプリングや錘によって制御しているため、構造が複雑であった。また、免震構造物用可動床はスプリングや錘によって支えられているだけであるため、その上を人が通った場合に、下方に折れ曲がって溝に落ちる危険性があった。
【０００９】
また、上記特許文献３に記載の免震構造物用可動床は、弾性部材をコンクリート基礎等の段落ち面で支えているため、地震時における免震構造物とコンクリート基礎との干渉を防ぐには、犬走りの長さを溝の幅の２倍程度と長くする必要がある。このため、免震構造物の周辺に幅広い空き地がない場合、設置が困難となる。この点、弾性部材を段落ち面で支えることなく端部で固定することにより、溝の中で中空に浮かせた状態に突出させ、免震構造物とコンクリート基礎との干渉を防ぐことも考えられる。しかし、これでは、免震構造物用可動床の機械的強度が弱く、その上を人が通った場合に下方に折れ曲がるおそれがあり、転倒や落下の危険性がある。
【００１０】
本発明は、上記従来の実情等に鑑みてなされたものであり、免震構造物周囲の敷地面積が狭い場合においても設置することが可能で設置費用が低廉であり、人等が安全に通行することができる免震構造物用可動床を提供することを解決すべき課題としている。
【課題を解決するための手段】
【００１１】
本発明の免震構造物用可動床は、免震構造物の周囲に設けられた溝を覆うための免震構造物用可動床であって、前記溝を覆うための天板と、前記免震構造物と対面する溝壁面に固定され、該天板を支持するとともに前記溝の幅方向にスライド可能とする弾性部材とを備え、該弾性部材は、該溝の幅方向に弾性変形可能な筒部と、該筒部の側面から延在し該天板を支持する弾性片とからなることを特徴とする。
【００１２】
本発明の免震構造物用可動床は、免震構造物と対面する溝壁面にボルト等で固定される。そして、免震構造物から突出する犬走りやエキスパンションジョイントが免震構造物用可動床を覆うように配置される。地震動によって免震構造物が弾性部材を押圧した場合、筒部が溝の幅方向に弾性変形するとともに、筒部の側面から延在する弾性片も弾性変形し、天板が溝の幅方向にスライドする。また、免震構造物が弾性部材に対して溝の幅方向に遠ざかる場合には、弾性変形した筒部及び弾性片がもとの形状に復帰し、天板も元の位置までスライドする。このため、免震構造物の周囲の犬走りスラブやエキスパンションジョイントをそれほど長くしなくても、地震時において、免震構造物の周囲の溝が絶えず天板によって覆われた状態が保たれる。このため、免震構造物の周辺に幅広い空き地がない場合でも、設置が可能となるという利点を有する。
【００１３】
また、筒部の側面には天板を支持する弾性片が設けられているため、天板から受ける圧力は筒部のみならず、弾性片も受け持つこととなり、天板からの圧力に対する機械的強度が高くなる。このため、天板の上を人等が通行したとしても、免震構造物用可動床自体で支えることが可能となる。したがって、免震構造物用可動床をコンクリート基礎の段落ち面等で支える必要がなくなり、単なる空間とすることができることから、免震構造物用可動床の設置費用を大幅に低廉なものとすることができる。
【００１４】
また、本発明の免震構造物用可動床は、免震構造物の周辺に設けられた溝における、免震構造物に対面する面の上端に固定するだけで設置できるため、施工が容易で施工費用も低廉となり、既存の免震構造物に対して、後施工で設置することも容易である。
【００１５】
したがって、本発明の免震構造物用可動床によれば、免震構造物周囲の敷地面積が狭い場合においても設置することが可能で、設置費用の低廉であり、人等が安全に通行することができる。
【００１６】
筒部の形状としては、断面が多角形形状、丸形状、楕円形状等の筒状とすることができる。断面が多角形の筒形状であれば、金属板をプレス成形及びボルトによる固定で容易に製作することができるため、好適である。
【００１７】
天板の幅方向の一端は下方に折れ曲がり、断面Ｌ字状とされていることも好ましい。こうであれば、天板に対する機械的強度が飛躍的に大きくなり、人等が乗った場合における耐久度をさらに増すことができる。
【００１８】
弾性部材は複数個が集まって複数の列をなすことができる。こうであれば、免震構造物用可動床を設置する溝の幅や長さに適した大きさの免震構造物用可動床を単一の規格の弾性部材によって製造することができる。
【発明を実施するための最良の形態】
【００１９】
以下、本発明を具体化した実施例を図１〜図７を参照しつつ説明する。
【００２０】
（実施例１）
実施例１の免震構造物用可動床は、図１に示すように、複数の弾性部材１０と、弾性部材１０の上部を覆う天板２０とを備えている。
【００２１】
弾性部材１０は、図２及び図３に示すように、ステンレス製の帯板材がハの字に屈曲された長尺部材１１及び短尺部材１２とから構成されている。長尺部材１１は中央の矩形部１１ａから両側にハの字に広がるように翼部１１ｂ、１１ｃが延在しており、矩形部１１ａには２箇所にボルト穴１１ｄが開けられている。また、翼部１１ｂ、１１ｃの中央には幅方向上下２箇所にボルト穴１１ｅ、１１ｆが開けられている。翼部１１ｂ、１１ｃのボルト穴１１ｅ、１１ｆの位置から先端部分までの部分が弾性片１１ｇ、１１ｈである。短尺部材１２は中央の矩形部１２ａから両側にハの字に広がるように翼部１２ｂ、１２ｃが延在しており、矩形部１２ａには２箇所にボルト穴が設けられている。また、翼部１２ｂ、１２ｃの先端は外方に折れ曲がった取り付け部１２ｅ、１２ｆが設けられており、取り付け部１２ｅ、１２ｆにはボルト穴１１ｅ、１１ｆに整合する位置にボルト穴１２ｇ、１２ｈが開けられている。長尺部材１１と短尺部材１２とは、ボルト穴１１ｅ、１１ｆ及びボルト穴１２ｇ、１２ｈに嵌められたボルト１３ａ及びナット１３ｂによって結合されている。長尺部材１１と短尺部材１２とによって囲まれた断面六角形の筒状部分が筒部１４である。
【００２２】
天板２０はステンレス板材を断面Ｌ字状に成形されたものであり、図１に示すように、一列に並んだ４個の弾性部材１０の上部を覆う覆い部２０ａと、覆い部２０ａの幅方向の一端で下方に折れ曲がる壁部２０ｂとからなる。壁部２０ｂには、弾性部材１０のボルト穴１１ｄに整合するボルト穴が所定のピッチで開けられており、ボルト及びナットによって弾性部材１０が壁部２０ｂに結合されている。
【００２３】
＜施工例１＞
以上のように構成された実施例１の免震構造物用可動床について、免震建物に固定された犬走りの下方に設置する場合の施工例を図４及び図５に示す。免震建物３０の基礎３１は免震装置３２上に固定されており、標準状態において溝３３を隔てて溝壁面３４と対面している。溝壁面３４の上端には、上記実施例１の免震構造物用可動床３５が図示しないボルトにより突出して固定されている。この固定は、図３に示す弾性部材１０のボルト穴１１ｄに嵌められたボルトを溝壁面３４に設けられた雌ねじに螺合させることによって行われる。免震構造物用可動床３５は免震建物３０から突出する犬走り３６によって覆われている。
【００２４】
以上のように犬走り３６の下方に設置された免震構造物用可動床３５では、地震動によって免震建物３０が溝３３の幅が狭くなる方向に移動し、免震構造物用可動床３５を押圧した場合、筒部１４が溝の幅方向に弾性変形するとともに、弾性片１１ｇ、１１ｈが扇が広がる方向に弾性変形し、その変形に伴って天板２０がスライドする（図５（ｂ））。また、免震建物３０が弾性部材１０に対して溝３３の幅方向に遠ざかる場合には、弾性変形した筒部１４及び弾性片１１ｇ、１１ｈがもとの形状に復帰し、天板２０も元の位置までスライドする（図５（ｃ））。このため、犬走り３６の長さが溝３３の幅より天板２０の幅分だけ短くても、天板２０によって覆われた状態を保つことができる。このため、犬走り３６の長さを天板２０の幅分だけ短くすることができ、免震建物３０の周辺に幅広い空き地がない場合でも、設置が可能となる。
【００２５】
また、図１に示すように、弾性部材１０における長尺部材１１の先端に弾性片１１ｇ、１１ｈが突出して設けられているため、天板２０から受ける圧力が短尺部材１２に集中することなく、弾性片１１ｇ、１１ｈにも分散される。このため、天板２０からの圧力に対する機械的強度が高くなり、天板２０の上を人等が安全に通行することができる。このため、免震構造物用可動床３５をコンクリート基礎の段落ち面等で支える必要がなく、単なる空間とすることができる。このため、免震構造物用可動床の設置費用を大幅に低廉なものとすることができる。
【００２６】
さらに、実施例１の免震構造物用可動床３５は、溝壁面３４の上端にボルトで固定するだけで設置できるため、施工が容易で施工費用も低廉となり、既存の免震構造物に対して、後施工で設置することも容易である。
【００２７】
＜施工例２＞
実施例１の免震構造物用可動床３５を、図６に示すように、エキスパンションジョイント４０の下方に設置することもできる。こうであっても、上記と同様の作用効果を奏する。
【００２８】
（実施例２）
実施例２の免震構造物用可動床は、図７に示すように、実施例１における弾性部材１０が２個のボルトで連結された２連弾性部材４０が長さ方向に複数個並んでいる。他の構成は実施例１の免震構造物用可動床と同様である。このように、弾性部材１０を連結することにより、伸縮可能な長さを長くすることが可能となる。
【産業上の利用可能性】
【００２９】
本発明の免震構造物用可動床は、免震構造物周囲に設けられた溝の遮蔽用として用いることができる。
【図面の簡単な説明】
【００３０】
【図１】実施例１の免震構造物用可動床の斜視図である。
【図２】弾性部材の平面図である。
【図３】弾性部材の分解斜視図である。
【図４】免震構造物用可動床を犬走りの下方に設置する場合の施工例である。
【図５】免震構造物用可動床を犬走りの下方に設置する場合の地震時の作用を示す断面図である。
【図６】免震構造物用可動床をエキスパンションジョイントの下方に設置する場合の地震時の作用を示す断面図である。
【図７】実施例２の免震構造物用可動床の斜視図である。
【図８】従来の免震構造物用可動床の弾性部材の斜視図である。
【図９】従来の免震構造物用可動床の設置断面図である。
【符号の説明】
【００３１】
３０…免震建物（免震構造物）
３３…溝
３４…溝壁面
３５…免震構造物用可動床
２０…天板
１０…弾性部材
１４…筒部
１１ｇ、１１ｈ…弾性片
【図１】
0004673154.tif 000002
【図２】
0004673154.tif 000003
【図３】
0004673154.tif 000004
【図４】
0004673154.tif 000005
【図５】
0004673154.tif 000006
【図６】
0004673154.tif 000007
【図７】
0004673154.tif 000008
【図８】
0004673154.tif 000009
【図９】
0004673154.tif 000010